(57)【特許請求の範囲】
【請求項１】
ケースの背面に電源側端子、前面に負荷側端子が配置され、負荷側端子が速結端子で形成された回路遮断器において、
前記速結端子の電線挿入部はケースとは別体のアダプタに設けられると共に、ケース前面に前記アダプタを収容する収容凹部を設け、前記アダプタは挿入された一対の電線を保持可能であって、電線を保持したアダプタを前記収容凹部に収容することで電線が前記速結端子に接続されることを特徴とする回路遮断器。
【請求項２】
アダプタは、上部材と下部材とを有して電線挿入部を境に上下に開放可能であって、開放した状態で電線挿入部に電線を配置後、前記上部材と下部材を閉じることで電線が保持される請求項１記載の回路遮断器。
【請求項３】
アダプタは、電線挿入部を有するアダプタ本体と、電線挿入部に挿入した電線を押圧操作する保持部材とから成る請求項１記載の回路遮断器。
【発明の詳細な説明】
【技術分野】
【０００１】
本発明は回路遮断器に関し、詳しくは負荷側端子を速結端子として遮断器ケースの幅を狭く薄型に形成した回路遮断器に関する。
【背景技術】
【０００２】
住戸内で使用される電気機器の増加により、分電盤内に設置される回路遮断器の数が増加している。そのため、回路遮断器の設置スペースが大面積とならないように回路遮断器の小型化が進んでいる。例えば、従来の回路遮断器の半分の幅で形成された回路遮断器がある（例えば、特許文献１参照）。このような回路遮断器は、負荷側端子が電線を挿入するだけで接続される速結端子が採用されている。 
【０００３】
【特許文献１】特開平１１−１６４７９号公報
【発明の開示】
【発明が解決しようとする課題】
【０００４】
分電盤内に組み付けた回路遮断器は、操作レバーを設けた上面が前方を向くため、ケース前面に設けた負荷側端子は見づらくなるし、隣同士の回路遮断器が接触するような状態で設置されるので、隣接する回路遮断器の負荷側端子は近接して配置されていた。そのため、隣接する回路遮断器に接続された電線が邪魔になり負荷側端子の接続作業は元々面倒であった。それに加え、上記幅を狭くした形状の回路遮断器の場合、更に隣接する回路遮断器に接続された電線が近くに配設されるため、電線の接続作業がし辛くなっていた。
そのため、図７の回路遮断器の斜視図に示すように負荷側端子の電線挿入孔３５の下部に電線の誘い台３６を設けて電線の挿入をし易くする工夫が成されたものがある。しかし、そのような工夫が成されても、隣接する回路遮断器同士の電線挿入孔が離れる訳ではないので、電線接続作業の大きな改善には至らなかった。
【０００５】
そこで、本発明はこのような問題点に鑑み、幅を狭く薄型に形成して隣接する回路遮断器の負荷側端子が接近しても、負荷側端子に電線を接続しやすい回路遮断器を提供することを目的とする。
【課題を解決するための手段】
【０００６】
上記課題を解決する為に、請求項１に記載の発明は、ケースの背面に電源側端子、前面に負荷側端子が配置され、負荷側端子が速結端子で形成された回路遮断器において、前記負荷側端子の電線挿入部はケースとは別体のアダプタに設けられると共に、ケース前面に前記アダプタを収容する収容凹部を設け、前記アダプタは挿入された一対の電線を保持可能であって、電線を保持したアダプタを前記収容凹部に収容することで電線が前記速結端子に接続されることを特徴とする。
この構成により、一対の電線を保持させたアダプタを遮断器ケースの収容凹部に収容すれば負荷側端子の接続が成されるので、電線を接続する際に隣接する回路遮断器に接続された電線が邪魔に成るようなことが無いし、直接遮断器ケースに１本づつ電線の挿入操作をする煩わしさもない。そして、アダプタはケースとは別体なので、電線の保持操作は作業し易い空間で行うことができる。
【０００７】
請求項２の発明は、請求項１に記載の発明において、アダプタは、上部材と下部材とを有して電線挿入部を境に上下に開放可能であって、開放した状態で電線挿入部に電線を配置後、前記上部材と下部材を閉じることで電線が保持されることを特徴とする。
この構成により、アダプタを開放した状態で電線の保持操作ができ、電線を容易に保持させることができる。
【０００８】
請求項３の発明は、請求項１に記載の発明において、アダプタは、電線挿入部を有するアダプタ本体と、電線挿入部に挿通した電線を押圧操作する保持部材とから成ることを特徴とする。
この構成により、アダプタは電線を１本ずつ収容できるので作業し易い。
【発明の効果】
【０００９】
本発明によれば、一対の電線を保持させたアダプタを遮断器ケースの収容凹部に収容すれば負荷側端子の接続が成されるので、電線を接続する際に隣接する回路遮断器に接続された電線が邪魔に成るようなことが無いし、直接遮断器ケースに１本ずつ電線の挿入操作をする煩わしさもない。そして、アダプタはケースとは別体なので、電線の保持操作は作業し易い空間で行うことができる。
【発明を実施するための最良の形態】
【００１０】
以下、本発明を具体化した実施の形態を、図面に基づいて詳細に説明する。
＜第１実施形態＞
図１は、本発明に係る回路遮断器の第１の実施形態を示す斜視図であり、（ａ）は電線接続前の状態、（ｂ）は電線を接続した状態を示している。図において、１は電源側端子、２は負荷側端子、３は電路を開閉操作する操作レバー、４は負荷側端子２に接続した電線の係止を解除する解除ボタンであり、電源側端子１は遮断器ケース５の背面に、負荷側端子２は前面に設けられ、操作レバー３、解除ボタン４は上面に設けられている。尚、９は電線を示している。
【００１１】
電源側端子１は単相３線式電路に接続する形態の端子であり、上下に配列され、プラグイン方式の端子で形成されている。そして、負荷側端子２は、ケース５前面の上部に形成された凹部６にアダプタ７が配置されて構成され、凹部６の奥部には電線９を接続するための速結端子が配置されている。この凹部６は、アダプタ７を収容するための収容凹部であり、アダプタ７を収容することでケース５の前面は上下に亘り平らな状態となる。
【００１２】
アダプタ７は立方体形状を成し、図２の拡大図に示すように上部材７ａと下部材７ｂとで構成され、中央部に設けられた左右一対の電線挿入部１１を境に上下に分離するよう形成されている。そして、電線挿入部１１に連続してアダプタ７の背面に亘り電線挿通孔１１ａが並行に形成され、この電線挿通孔１１ａも上下に２分割されて形成されている。
また、上部材７ａと下部材７ｂとは後部で蝶着され、図２に示すように電線挿入部１１が開口するよう構成され、電線挿通孔１１ａの端部である電線挿入部１１には、電線抜け止めのための歯状段部１２が周設されている。この電線挿通孔１１ａには被覆を剥いだ電線９が挿通され、一対の電線９，９が左右に列べて収容保持される。
【００１３】
図３は負荷側端子２の構成を示す断面説明図であり、（ａ）はアダプタ装着前、（ｂ）はアダプタ装着後、即ち電線接続後を示している。１３は板状バネを折り曲げ形成した押圧バネ、１４はケース５に形成されアダプタ７に係合する係合突起である。
この図３に示すように、負荷側端子２に接続する電線９はアダプタ７に保持された後、押圧バネ１３に係止して接続される
【００１４】
具体的に接続操作を説明すると、まずアダプタ７の奥行きより長い所定の長さに亘り電線９の被覆を剥がし、露出した内部導線９ａを図２に示すようにアダプタ７を開いて電線挿入部１１に挿通配置する。そして、アダプタ７を閉じることで所定の間隔を保って一対の電線９は保持される。
次に、アダプタ７をケース５の凹部６に合わせることで、内部導線９ａは図３（ａ）に示すようにケース５内部に配置された押圧バネ１３に当接する。そして、アダプタ７をケース５内部に押し込むことで、図３（ｂ）に示すように電線９が押圧バネ１３の弾性に抗して挿入され、電気的に接続されると共に固定される。同時にアダプタ７は凹部６に収容される。このとき、アダプタ７の下端に設けた係合凹部７ｃにケース側の係合突起１４が係合して、アダプタ７は挿入された状態を維持する。こうして、電線９は速結端子で構成された負荷側端子２に接続される。
【００１５】
逆に、接続した電線９の抜き取り操作を図４を基に説明する。図４は解除ボタン４の作用説明図であり、（ａ）は解除ボタン４を押した状態の縦断面図、（ｂ）は解除ボタン４を押した状態の正面図を示している。図４に示すように、まず解除ボタン４を押し込み操作する。解除ボタン４を矢印の方向に押すことで、解除ボタン４の先端４ａが押圧バネ１３を押し下げ、押圧バネ１３の弾性による係止作用が解除され、電線９は抜き取りが可能となる。そして、解除ボタン４を更に押し込むことで、解除ボタン４の端部４ｂがアダプタ７の背部に係合してアダプタ７を前方に押し出す。こうして、アダプタ７とケース５との係合が解除されてアダプタ７は前方へ移動し、前方に突出したアダプタ７を取り出せば電線９を抜き取ることができる。
【００１６】
このように、一対の電線を保持させたアダプタを遮断器ケースの収容凹部に収容すれば負荷側端子の接続が成されるので、電線を接続する際に隣接する回路遮断器に接続された電線が邪魔に成るようなことが無いし、直接遮断器ケースに１本ずつ電線の挿入操作をする煩わしさもない。そして、アダプタはケースとは別体なので、電線の保持操作は作業し易い空間で行うことができる。
また、アダプタを開放した状態で電線の保持操作ができ、電線を容易に保持させることができる。
【００１７】
＜第２実施形態＞
図５は、本発明に係る回路遮断器の第２の実施形態を示す斜視図であり、２１は電源側端子、２２は負荷側端子、２３は電路を開閉操作する操作レバー、２４は負荷側端子２２に接続した電線の係止を解除する解除ボタンであり、電源側端子２１は遮断器ケース２５の背面に、負荷側端子２２は前面に、操作レバー２３及び解除ボタン２４は上面に設けられている。
【００１８】
電源側端子２１は単相３線式電路に接続する形態の端子であり、上下に配列され、プラグイン方式の端子で形成されている。そして、負荷側端子２２は、ケース２５前面の上部に形成された凹部２６にアダプタ２７が配置されて構成され、凹部２６の奥部には電線９を接続するための速結端子が配置されている。この凹部２６は、アダプタ２７を収容するための収容凹部であり、アダプタ２７を収容することでケース２５の前面は上下に亘り平らな状態となる。
【００１９】
アダプタ２７は立方体形状を成し、電線挿入部３１を有するアダプタ本体２７ａと、アダプタ本体上部に設けられた蓋状の保持部材２７ｂとで構成され、アダプタ本体２７ａと保持部材２７ｂとは後部で蝶着され、図６の斜視図に示すようにアダプタ本体２７ａ上部が開閉するよう構成されている。そして、アダプタ２７の電線挿入部３１は、アダプタ本体２７ａの背部に亘る貫通孔を有し、電線９の内部導線９ａを挿通するよう形成され、保持部材２７ｂは電線挿入部３１に挿入した電線９を押圧して係止する係止突起２８が底部に形成され、アダプタ本体２７ａ上部を閉じて保持部材２７ｂを密着させることで、挿入された電線９は押圧保持される。
【００２０】
このように形成した負荷側端子２２の電線挿脱操作は次のように成される。挿入操作は、所定の長さで電線端部の被覆を取り除いた電線９を、まず保持部材２７ｂを開いた状態のアダプタ２７の電線挿入部３１に挿入する。挿入したら保持部材２７ｂを閉じて電線９を保持させる。そして、アダプタ２７を凹部２６に配置し、凹部２６内へ挿入操作することで、電線９はケース２５内に設けられた押圧バネに係止して電気的に接続されると共に保持される。この押圧バネ接続動作は、上記図３に示す説明図と同様である。
【００２１】
逆に、接続した電線９を抜き取る操作は、上記図４に示す説明図と同様であり、解除ボタン２４を押し込み操作すれば、押圧バネによる係止が解除され、電線９は抜き取りが可能となる。そして、解除ボタン２４を更に押し込むことで解除ボタン２４の端部がアダプタ２７の背部に係合してアダプタ２７を前方に押し出し、アダプタ２７とケース２５との係合が解除されて前方へ移動する。こうして前方に突出したアダプタ２７を取り出せば電線９を抜き取ることができる。
【００２２】
このように、一対の電線を保持させたアダプタを遮断器ケースの収容凹部に収容すれば負荷側端子の接続が成されるので、電線を接続する際に隣接する回路遮断器に接続された電線が邪魔に成るようなことが無いし、直接遮断器ケースに１本ずつ電線の挿入操作をする煩わしさもない。そして、アダプタはケースとは別体なので、電線の保持操作は作業し易い空間で行うことができる。
また、アダプタは電線を１本ずつ収容できるので電線の取付作業がし易い。
【００２３】
尚、上記実施形態は何れも、アダプタ７，２７は電線９の内部導線９ａを保持するよう構成されているが、電線９の被覆部を把持して保持するよう構成しても良く、少なくともアダプタ７，２７の背部に突出する部分が内部導線９ａであればよい。
【図面の簡単な説明】
【００２４】
【図１】本発明に係る回路遮断器の第１の実施形態を示す斜視図であり、（ａ）は電線接続前の状態、（ｂ）は電線を接続した状態を示している。
【図２】電線収容部を開いた状態の図１のアダプタの拡大図である。
【図３】アダプタを遮断器ケースに装着して電線を接続する様子を示す説明図であり、（ａ）は装着前、（ｂ）は装着後を示している。
【図４】図１の解除ボタンの動作説明図であり、（ａ）は解除ボタンを押した状態の負荷側端子の縦断面説明図、（ｂ）は同様に解除ボタンを押した状態の負荷側端子の正面説明図である。
【図５】本発明に係る回路遮断器の第２の実施形態を示す斜視図である。
【図６】図５のアダプタの拡大図である。
【図７】従来の回路遮断器の説明図である。
【符号の説明】
【００２５】
１・・電源側端子、２・・負荷側端子、４・・解除ボタン、５・・ケース、６・・凹部（収容凹部）、７・・アダプタ、７ａ・・上部材、７ｂ・・下部材、９・・電線、１１・・電線収容部、１３・・押圧バネ、２１・・電源側端子、２２・・負荷側端子、２４・・解除ボタン、２５・・ケース、２６・・凹部（収容凹部）、２７・・アダプタ、２７ａ・・アダプタ本体、２７ｂ・・保持部材。
【図１】
0004728076.tif 000002
【図２】
0004728076.tif 000003
【図３】
0004728076.tif 000004
【図４】
0004728076.tif 000005
【図５】
0004728076.tif 000006
【図６】
0004728076.tif 000007
【図７】
0004728076.tif 000008